(57)【要約】【課題】空気調和機に設けられた空気清浄機や換気装置を用いて、ペットから離脱した空気汚染物質を室内から除去したり、ペット臭を室内から除去する場合に、その除去を効率良く行なうことができ、しかも、その除去の際に発生する騒音によって室内に居る人が悩まされることを防止する。【解決手段】空気調和機において、室内の空気に対して熱交換を行なう室内熱交換器と、空気清浄能力を切換可能な空気清浄機と、室内に居る人及びペットを検出する検出部と、検出部が室内にペットのみが居ることを検出した場合には、検出部が室内に人が居ることを検出した場合よりも、空気清浄機の空気清浄能力をアップさせる制御部と、を備える。【選択図】    図３
2010145006.tif 000002
【特許請求の範囲】
【請求項１】
室内の空気に対して熱交換を行なう室内熱交換器と、
空気清浄能力を切換可能な空気清浄機と、
前記室内に居る人及びペットを検出する検出部と、
前記検出部が前記室内にペットのみが居ることを検出した場合には、前記検出部が前記室内に人が居ることを検出した場合よりも、前記空気清浄機の空気清浄能力をアップさせる制御部と、
を備えることを特徴とする空気調和機。
【請求項２】
前記室内の空気の汚れを検出する汚れ検出部を有し、
前記制御部は、前記汚れ検出部の検出結果が基準値より低い場合には、前記室内にペットのみが居る場合でも前記空気清浄機の空気清浄能力を前記室内に人が居る場合と同じにし、前記汚れ検出部の検出結果が基準値より高い場合には、前記室内にペットのみが居る場合の前記空気清浄機の空気清浄能力を前記室内に人が居る場合よりもアップさせることを特徴とする請求項１記載の空気調和機。
【請求項３】
室内の空気に対して熱交換を行なう室内熱交換器と、
換気能力を切換可能な換気装置と、
前記室内に居る人及びペットを検出する検出部と、
前記検出部が前記室内にペットのみが居ることを検出した場合には、前記検出部が前記室内に人が居ることを検出した場合よりも、前記換気装置の換気能力をアップさせる制御部と、
を備えることを特徴とする空気調和機。
【請求項４】
前記室内の臭いを検出する臭い検出部を有し、
前記制御部は、前記臭い検出部の検出結果が基準値より低い場合には、前記室内にペットのみが居る場合でも前記換気装置の換気能力を前記室内に人が居る場合と同じにし、前記臭い検出部の検出結果が基準値より高い場合には、前記室内にペットのみが居る場合の前記換気装置の換気能力を前記室内に人が居る場合よりもアップさせることを特徴とする請求項３記載の空気調和機。
【発明の詳細な説明】
【技術分野】
【０００１】
本発明は、空気調和機に関し、特に、室内で犬や猫などのペットを飼っている場合に使用するのに適した空気調和機に関する。
【背景技術】
【０００２】
近年、犬や猫などのペットを室内で飼う家庭が増えており、ペットを室内で飼う場合には、室内にペット臭（ペットのトイレ臭やペットの体臭）がつくという問題が発生する。このようなペット臭の問題を解決するため、下記特許文献１に記載された自動換気装置の発明が知られている。
【０００３】
特許文献１に記載された自動換気装置の発明は、室内に居るペットの声を検知した場合に換気扇を自動的に駆動させ、室内にペットが居る場合にその室内の換気を自動的に行うものである。
【０００４】
また、近年では、室内の空調用に用いられる空気調和機において、空気清浄機や換気装置を備えたものが知られている。そこで、空気清浄機を備えた空気調和機を用いれば、専用の空気清浄機を用いることなく、ペットから離脱した空気汚染物質（例えば、ペットの抜け毛やフケ等）を室内から除去することができる。また、換気装置を備えた空気調和機を用いれば、専用の換気装置を用いることなく、ペット臭を室内から除去することができる。
【特許文献１】特開平７−７１７９７号公報
【発明の開示】
【発明が解決しようとする課題】
【０００５】
しかしながら、空気清浄機や換気装置の運転時にはそれぞれ送風用のファンが駆動され、空気清浄機の空気清浄能力や換気装置の換気能力を高めるためには、送風用のファンの回転数をできるだけ高くすることが必要である。ペット臭を室内から早く除去するため空気清浄機や換気装置の送風用のファンの回転数を高くすると、ファンから発生する騒音が大きくなり、室内に居る人がその騒音に悩まされる。
【０００６】
本発明はこのような課題を解決するためになされたものであり、その目的は、空気調和機に設けられた空気清浄機や換気装置を用いて、ペットから離脱した空気汚染物質を室内から除去したり、ペット臭を室内から除去する場合に、その除去を効率良く行なうことができ、しかも、その除去の際に発生する騒音によって室内に居る人が悩まされることを防止することができる空気調和機を提供することである。
【課題を解決するための手段】
【０００７】
本発明の実施の形態に係る第１の特徴は、空気調和機において、室内の空気に対して熱交換を行なう室内熱交換器と、空気清浄能力を切換可能な空気清浄機と、前記室内に居る人及びペットを検出する検出部と、前記検出部が前記室内にペットのみが居ることを検出した場合には、前記検出部が前記室内に人が居ることを検出した場合よりも、前記空気清浄機の空気清浄能力をアップさせる制御部と、を備えることである。
【０００８】
本発明の実施の形態に係る第２の特徴は、空気調和機において、室内の空気に対して熱交換を行なう室内熱交換器と、換気能力を切換可能な換気装置と、前記室内に居る人及びペットを検出する検出部と、前記検出部が前記室内にペットのみが居ることを検出した場合には、前記検出部が前記室内に人が居ることを検出した場合よりも、前記換気装置の換気能力をアップさせる制御部と、を備えることである。
【発明の効果】
【０００９】
本発明によれば、空気調和機に設けられた空気清浄機や換気装置を用いて、ペットから離脱した空気汚染物質を室内から除去する場合や、ペット臭を室内から除去する場合に、その除去を効率良く行なうことができ、しかも、その除去の際に発生する騒音によって室内に居る人が悩まされることを防止することができる。
【発明を実施するための最良の形態】
【００１０】
以下、本発明の実施の形態を図面を用いて説明する。
【００１１】
（第１の実施の形態）
本発明の第１の実施の形態の空気調和機について、図１ないし図３に基づいて説明する。この空気調和機は、室内に設置される室内機１と、室外に設置される室外機（図示せず）と、室内機１の運転状態を切換操作するリモートコントローラ（図示せず）とを備えている。
【００１２】
室内機１は、室内機本体２を有し、この室内機本体２内に、室内熱交換器３と、室内ファン４と、空気清浄機５と、換気装置６と、検出部である人検出部７と、検出部であるペット検出部８と、制御部９とが収容されている。
【００１３】
室内機本体２は、室内と室外とを仕切る壁の室内側の壁面に取付けられている。室内機本体２には、この室内機本体２を室内の壁面に取付けた場合に上面側に位置する部分と正面側に位置する部分とにそれぞれ空気吸込口１０が形成され、室内機本体２の下面側に位置する部分に空気吹出口１１が形成されている。
【００１４】
この室内機１では、室内ファン４や換気装置６の換気ファン６ａが駆動されることにより、室内の空気が空気吸込口１０から室内機本体２内に吸込まれ、室内機本体２内に吸込まれた空気は空気吹出口１１から室内に吹き出し、又は、壁面を貫通して設けられた換気装置６の排気パイプ６ｄ内を通って室外に排気される。空気吹出口１１には、空気吹出口１１から室内に吹き出す空気の吹き出し方向を調整するルーバー１２が設けられている。
【００１５】
室内熱交換器３は、室外機内に収容された室外熱交換器とコンプレッサと膨張装置とに冷媒配管１３を介して接続されている。冷媒配管１３内には冷媒が流れ、この冷媒により、室内機本体２内に吸込まれた室内の空気に対して熱交換が行なわれる。
【００１６】
空気清浄機５は、数千ボルトの高電圧を発生する高圧発生回路５ａと、高圧発生回路５ａで発生した高電圧が印加される集塵電極５ｂとを備えている。集塵電極５ｂに高電圧が印加されることにより、室内機本体２内に吸込まれて集塵電極５ｂの周囲を通過する空気中に含まれている物質、例えば、ペットから離脱した空気汚染物質であるペットの抜け毛やフケ、及び、その他のゴミが帯電される。帯電されたペットの空気汚染物質やその他のゴミは、空気の流れ方向に沿った集塵電極５ｂより下流側に位置する集塵フィルタ１４や室内熱交換器３に付着し、空気中から除去される。なお、空気清浄機５は、このような高電圧を用いたものに限らず、ゴミを集塵する以外に活性炭フィルタを設けた脱臭機能を備えたものでも良い。
【００１７】
換気装置６は、換気ファン６ａと、換気ファン６ａを駆動させるモータ６ｂと、モータ６ｂに接続された回転数制御回路６ｃと、排気パイプ６ｄとを備えている。モータ６ｂにより駆動されて換気ファン６ａが回転すると、室内の空気が空気吸込口１０を通って室内機本体２内に吸込まれ、吸込まれた空気が排気パイプ６ｄを通って室外に排気される。このとき、室内のペット臭が室外に除去される。なお、回転数制御回路６ｃによってモータ６ｂの回転数が切換えられることにより換気ファン６ａの回転数が切換えられ、換気装置６の換気能力が切換えられる。
【００１８】
室内ファン４は、空気調和機の運転時や空気清浄機５の運転時に駆動される。室内ファン４には、この室内ファン４を回転させるモータ４ａが連結され、モータ４ａには回転数制御回路４ｂが接続されている。モータ４ａにより駆動されて室内ファン４が回転すると、室内の空気が空気吸込口１０を通って室内機本体２内に吸込まれ、吸込まれた空気が空気吹出口１１から室内に吹き出す。なお、回転数制御回路４ｂによってモータ４ａの回転数が切換えられることにより室内ファン４の回転数が切換えられ、冷房や暖房の出力、又は、空気清浄機５の空気清浄能力が切換えられる。
【００１９】
人検出部７は、室内に居る人を検出する。検出方法としては、例えば、室内に居る人がＩＣタグを携帯するようにし、人検出部７はそのＩＣタグから出力される電波を検出することで室内に人が居ることを検知する。
【００２０】
ペット検出部８は、室内に居る犬や猫等のペットを検出する。検出方法としては、例えば、室内に居るペットにペット用のＩＣタグを取付け、ペット検出部８はそのペット用ＩＣタグから出力される電波を検出することで室内にペットが居ることを検知する。ペットと人との判別は、ＩＣタグの周波数を予め人とペットとで変更しておいたり、ＩＣタグの認識番号で識別できるようにしておけば良い。
【００２１】
制御部９は、室内機１内の各部を制御する。制御部９には、モータ４ａの回転数制御回路４ｂ、モータ６ｂの回転数制御回路６ｃ、高圧発生回路５ａ、人検出部７、ペット検出部８等が接続されている。
【００２２】
制御部９は、人検出部７とペット検出部８とによって室内にペットのみが居ることを検出した場合には、室内ファン４の回転数を“Ｈ”とし、人検出部７によって室内に人が居ることを検出した場合には、室内ファン４の回転数を“Ｌ”とする。これにより、室内にペットのみが居る場合には室内に人が居る場合よりも空気清浄機５の空気清浄能力がアップされる。
【００２３】
また、制御部９は、人検出部７とペット検出部８とによって室内にペットのみが居ることを検出した場合には、換気ファン６ａの回転数を“Ｈ”とし、人検出部７によって室内に人が居ることを検出した場合には換気ファン６ａの回転数を“Ｌ”とする。これにより、室内にペットのみが居る場合には室内に人が居る場合よりも換気装置６の換気能力がアップされる。
【００２４】
図３は、人検出部７とペット検出部８との検出結果に基づいて行なわれる空気清浄機５と換気装置６との運転状態の切換えを説明するフローチャートである。
【００２５】
制御部９では、人検出部７からの検出結果に基づいて室内に人が居るか否かが判断される（Ｓ１）。人が居ると判断された場合には（Ｓ１のＹＥＳ）、空気清浄機５は室内ファン４の回転数が“Ｌ”で運転され、及び、換気装置６は換気ファン６ａの回転数が“Ｌ”で運転される（Ｓ２）。これにより、人が室内に人が居る場合には、空気清浄機５が運転されてペットから離脱した空気汚染物質が室内から除去されるとともに、換気装置６が運転されて室内のペット臭が除去される。また、この場合には室内ファン４と換気ファン６ａとがともに“Ｌ”運転であるため、室内ファン４や換気ファン６ａから発生する騒音が小さく抑えられ、室内に居る人が室内ファン４や換気ファン６ａから発生する騒音に悩まされることがない。
【００２６】
ステップＳ１において、室内に人が居ないと判断された場合には（Ｓ１のＮＯ）、制御部９では、ペット検出部８からの検出結果に基づいて室内にペットが居るか否かが判断される（Ｓ３）。そして、室内にペットが居ると判断された場合には（Ｓ３のＹＥＳ）、空気清浄機５は室内ファン４の回転数が“Ｈ”で運転され、及び、換気装置６は換気ファン６ａの回転数が“Ｈ”で運転される（Ｓ４）。これにより、室内にペットのみが居る場合には、室内ファン４と換気ファン６ａとがともに“Ｈ”運転される。このため、ペットから離脱した空気汚染物質の室内からの除去が効率良く行なわれ、及び、室内からのペット臭の除去が効率良く行なわれる。なお、室内にペットのみが居る場合には、室内ファン４や換気ファン６ａが“Ｈ”で運転されることに伴なって室内ファン４や換気ファン６ａから発生する騒音が大きくなっても、人がその騒音に悩まされるということは起こらない。
【００２７】
ステップＳ３において、室内にペットが居ないと判断された場合には（Ｓ３のＮＯ）、言い換えると、室内に人もペットも居ない場合には、空気清浄機５と換気装置６とはともに運転されず、室内ファン４と換気ファン６ａとが回転停止状態に維持される（Ｓ５）。
【００２８】
このような構成において、室内にペットのみが居る場合には、空気清浄機５は室内ファン４の回転数が“Ｈ”で運転され、及び、換気装置６は換気ファン６ａの回転数が“Ｈ”で運転される。このため、ペットから離脱した空気汚染物質の室内からの除去、及び、室内からのペット臭の除去が効率良く行なわれる。
【００２９】
また、この場合には、室内ファン４や換気ファン６ａが“Ｈ”で運転されることに伴なって室内ファン４や換気ファン６ａから発生する騒音が大きくなるが、室内に人が居ないので、人がその騒音に悩まされるということは起こらない。
【００３０】
（第２の実施の形態）
本発明の第２の実施の形態の空気調和機について、図４及び図５に基づいて説明する。なお、第１の実施の形態において説明した構成要素と同じ構成要素には同じ符号を付け、重複する説明は省略する。
【００３１】
第２の実施の形態の空気調和機の室内機本体２内には、第１の実施の形態で説明した構成要素に加え、室内の空気の汚れを検出する汚れ検出部１５が設けられている。汚れ検出部１５は、空気中の微細なチリを光学的に検出するセンサが用いられる。汚れ検出部１５は、汚れの程度の基準となる２つの基準値（第１基準値と第２基準値）とを有し、検出した汚れの程度が第１基準値より低い場合には汚れ検出部１５の出力が“Ｌ”となり、検出した汚れの程度が第１基準値より高いが第２基準値より低い場合には汚れ検出部１５の出力が“Ｍ”となり、検出した汚れの程度が第２基準値より高い場合には汚れ検出部１５の出力が“Ｈ”となる。汚れ検出部１５は、制御部９に接続されている。
【００３２】
また、室内ファン４と換気ファン６ａとは、“Ｌ”、“Ｍ”、“Ｈ”の３段階に切換えて駆動される。
【００３３】
制御部９は、人検出部７とペット検出部８とによる室内の人やペットの検出結果と、汚れ検出部１５の検出結果とに基づいて、室内ファン４の回転数と換気ファン６ａの回転数を適宜切換える。
【００３４】
図４は、人検出部７とペット検出部８と汚れ検出部１５との検出結果に基づいて行なわれる空気清浄機５と換気装置６との運転状態の切換えを説明するフローチャートである。
【００３５】
制御部９では、人検出部７からの検出結果に基づいて室内に人が居るか否かが判断される（Ｓ１１）。室内に人が居ると判断された場合には（Ｓ１１のＹＥＳ）、汚れ検出部１５の出力が“Ｌ”であるか否かが判断される（Ｓ１２）。
【００３６】
ステップＳ１２において、汚れ検出部１５の出力が“Ｌ”であると判断された場合には（Ｓ12のＹＥＳ）、空気清浄機５は室内ファン４の回転数が“Ｌ”で運転され、及び、換気装置６は換気ファン６ａの回転数が“Ｌ”で運転される（Ｓ１３）。これにより、室内に人が居るとともに、室内の空気の汚れが第１基準値より低い場合には、空気清浄機５が運転されてペットから離脱した空気汚染物質が室内から除去されるとともに、換気装置６が運転されて室内のペット臭が徐々に除去される。なお、この場合には室内ファン４と換気ファン６ａとがともに“Ｌ”運転であるため、室内ファン４や換気ファン６ａから発生する騒音が小さく抑えられ、室内に居る人が室内ファン４や換気ファン６ａから発生する騒音に悩まされることがない。
【００３７】
ステップＳ１２において、汚れ検出部１５の出力が“Ｌ”でないと判断された場合、つまり、汚れ検出部１５の出力が“Ｍ”又は“Ｈ”であると判断された場合には（Ｓ１２のＮＯ）、空気清浄機５は室内ファン４の回転数が“Ｍ”で運転され、及び、換気装置６は換気ファン６ａの回転数が“Ｍ”で運転される（Ｓ１４）。したがって、室内に人が居るとともに、室内の空気の汚れが第１基準値や第２基準値より高い場合には、空気清浄機５が運転されてペットから離脱した空気汚染物質が室内から除去されるとともに、換気装置６が運転されて室内のペット臭が除去される。なお、この場合には室内ファン４と換気ファン６ａとがともに“Ｍ”運転であるため、室内ファン４や換気ファン６ａから発生する騒音が抑えられ、室内に居る人が室内ファン４や換気ファン６ａから発生する騒音に悩まされることがない。
【００３８】
ステップＳ１１において、室内に人が居ないと判断された場合には（Ｓ１１のＮＯ）、制御部９では、ペット検出部８からの検出結果に基づいて室内にペットが居るか否かが判断される（Ｓ１５）。そして、室内にペットが居ると判断された場合には（Ｓ１５のＹＥＳ）、汚れ検出部１５の出力が“Ｌ”であるか否かが判断される（Ｓ１６）。
【００３９】
ステップＳ１６において、汚れ検出部１５の出力が“Ｌ”であると判断された場合には（Ｓ１６のＹＥＳ）、室内ファン４と換気ファン６ａとはステップＳ１３の運転が行われる。
【００４０】
ステップＳ１６において、汚れ検出部１５の出力が“Ｌ”でないと判断された場合には（Ｓ１６のＮＯ）、汚れ検出部１５の出力が“Ｍ”であるか否かが判断される（Ｓ１７）。
【００４１】
ステップＳ１７において、汚れ検出部１５の出力が“Ｍ”であると判断された場合に（Ｓ１７のＹＥＳ）、室内ファン４と換気ファン６ａとはステップＳ１４の運転が行われる。
【００４２】
ステップＳ１７において、汚れ検出部１５の出力が“Ｍ”でないと判断された場合、つまり、汚れ検出部１５の出力が“Ｈ”であると判断された場合には（Ｓ１７のＮＯ）、空気清浄機５は室内ファン４の回転数が“Ｈ”で運転され、及び、換気装置６は換気ファン６ａの回転数が“Ｈ”で運転される（Ｓ１８）。この結果、ペットから離脱した空気汚染物質と室内のペット臭が急速に除去される。
【００４３】
ステップＳ１５において、室内にペットが居ないと判断された場合には（Ｓ１５のＮＯ）、言い換えると、室内に人もペットも居ない場合には、空気清浄機５と換気装置６とはともに運転されず、室内ファン４と換気ファン６ａとは回転停止状態に維持される（Ｓ１９）。
【００４４】
このような構成において、汚れ検出部１５の検出結果が基準値（第１基準値又は第２基準値）より低い場合には、ペットから離脱した空気汚染物質やペット臭が少なく、空気清浄機５の空気清浄能力や換気装置６の換気能力を低く抑えても、室内の空気汚染物質の除去やペット臭の除去を十分に行なえる。
【００４５】
そこで、この第２の実施の形態によれば、汚れ検出部１５の検出結果が基準値（第１基準値又は第２基準値）より低い場合には、室内にペットのみが居る場合であっても、空気清浄機５は室内ファン４の回転数が“Ｌ”又は“Ｍ”で運転され、及び、換気装置６は換気ファン６ａの回転数が“Ｌ”又は“Ｍ”で運転され、室内に人が居る場合と同じ運転状態とされている。したがって、室内にペットのみが居る場合であっても、室内ファン４や換気ファン６ａの回転数を低く抑えることができ、消費電力の無駄を省くことができる。
【００４６】
一方、汚れ検出部１５の検出結果が基準値（第２基準値）より高い場合であって、室内にペットのみが居る場合には、空気清浄機５は室内ファン４の回転数が“Ｈ”で運転され、及び、換気装置６は換気ファン６ａの回転数が“Ｈ”で運転される。このため、ペットから離脱した空気汚染物質の室内からの除去や、室内からのペット臭の除去を効率良く行なうことができる。
【００４７】
しかも、この場合には、室内ファン４や換気ファン６ａが“Ｈ”で運転されることに伴なって室内ファン４や換気ファン６ａから発生する騒音が大きくなるが、室内に人が居ないので、人がその騒音に悩まされるということは起こらない。
【００４８】
なお、本実施の形態では、室内機本体２内に汚れ検出部１５を設け、この汚れ検出部１５の検出結果に基づいて空気清浄機５と換気装置６とを運転する場合を例に挙げて説明したが、室内機本体２内に、空気中のアセトアルデヒドやアンモニアの濃度を検出する臭いセンサを持つ臭い検出部を設け、上述の汚れ検出部１５のかわりにこの臭い検出部の検出結果に基づいて空気清浄機５と換気装置６とを運転するようにしてもよい。また、室内機本体２内に汚れ検出部１５と臭い検出部の両方を設け、汚れ検出部１５の検出結果に基づいて空気清浄機５を運転し、臭い検出部の検出結果に基づいて換気装置６を運転するようにしてもよい。
【００４９】
また、第１、第２の実施の形態では、室内に居る人とペットとの検出を、ＩＣタグを利用して行なう場合を例に挙げて説明したが、他の方法を採用してもよい。例えば、カメラを用いて室内を撮影し、撮影した画像を解析することにより室内の人やペットの有無を検出するようにしてもよい。
【図面の簡単な説明】
【００５０】
【図１】本発明の第１の実施の形態に係る空気調和機の室内機を示す縦断側面図である。
【図２】その水平断面図である。
【図３】空気清浄機と換気装置との運転状態の切換えを説明するフローチャートである。
【図４】本発明の第２の実施の形態に係る空気調和機の室内機を示す水平断面図である。
【図５】空気清浄機と換気装置との運転状態の切換えを説明するフローチャートである。
【符号の説明】
【００５１】
３…室内熱交換器、５…空気清浄機、６…換気装置、７…人検出部（検出部）、８…ペット検出部（検出部）、１５…汚れ検出部
【図１】
2010145006.tif 000003
【図２】
2010145006.tif 000004
【図３】
2010145006.tif 000005
【図４】
2010145006.tif 000006
【図５】
2010145006.tif 000007